(57)【要約】【課題】光インタフェース装置及び監視制御情報伝送方法に関し、レイヤ２以上のリンク切断に対して、保守監視／制御情報を装置間で送受可能にする。【解決手段】光インタフェースユニットＡ，Ｂにおいて、シリアル通信機能部Ａ４，Ｂ４は、光モジュールＡ１，Ｂ１内の電気信号を光信号に変換して対向装置へ送信するトランスミッタの光信号の出力のオン／オフを制御して、該光信号の出力オン／オフの２値論理信号を対向装置にシリアルに送信する。また、光モジュールＡ１，Ｂ１内のレシーバで受光される対向装置からの光信号の受光レベルが規定レベル以上か否かを示す２値論理信号を検出し、該２値論理信号の送受によりシリアル通信を行う。レイヤ２以上のリンク切断時に、各レイヤ機能終端部Ａ３，Ｂ３の監視制御情報を、光モジュールＡ１，Ｂ１、シリアル通信機能部Ａ４，Ｂ４及び監視制御機能部Ａ５，Ｂ５の協働により対向装置へ転送可能となる。【選択図】図１
2010273072.tif 000002
【特許請求の範囲】
【請求項１】
レイヤ構成のプロトコルにより情報を送受する光インタフェース装置において、
電気信号を光信号に変換して対向装置へ送信するトランスミッタ、及び該対向装置からの光信号の受光レベルが規定レベル以上か否かを示す２値論理信号を出力するレシーバを有する光モジュールと、
前記トランスミッタの光信号の出力のオン／オフを制御し、該光信号の出力のオン／オフによる２値論理信号を対向装置にシリアルに送信し、かつ、前記レシーバで受光される光信号の前記２値論理信号を受信するシリアル通信機能部と、
を備えたことを特徴とする光インタフェース装置。
【請求項２】
レイヤ２以上のプロトコルによるリンクが切断したときに、前記光モジュール及びシリアル通信機能部を介して、光信号の出力のオン／オフによる２値論理信号により、対向装置とレイヤ２以上の情報を送受するよう、前記光モジュールの光信号の出力のオンオフを制御する制御線及び受光検出通知線を、前記シリアル通信機能部に切り替えるセレクタを備えたことを特徴とする請求項１に記載の光インタフェース装置。
【請求項３】
レイヤ２以上のプロトコルによるリンクが切断したときに、前記光モジュール及びシリアル通信機能部を介して、光信号の出力のオン／オフによる２値論理信号により、対向装置と保守監視／制御情報を送受する監視制御部を備えたことを特徴とする請求項１に記載の光インタフェース装置。
【請求項４】
レイヤ構成のプロトコルにより情報を送受し、光インタフェースにより接続された装置間の監視制御情報伝送方法において、
レイヤ２以上のプロトコルによるリンクが切断したときに、電気信号を光信号に変換して対向装置へ送信するトランスミッタの光信号の出力のオン／オフを制御し、該光信号の出力のオン／オフによる２値論理のシリアル信号により、保守監視／制御情報を対向装置に送信するステップと、
前記対向装置のレシーバで受光される光信号の受光レベルが規定レベル以上か否かを示す２値論理のシリアル信号により前記保守監視／制御情報を受信するステップと、
を含むことを特徴とする監視制御情報伝送方法。
【発明の詳細な説明】
【技術分野】
【０００１】
本発明は、光インタフェース装置及び監視制御情報伝送方法に関する。装置間インタフェースに光インタフェースを用いたシステムの代表例として、３ＧＰＰ（3rd Generation Partnership Project）の無線基地局システムが挙げられる。本発明は、例えば該無線基地局システムの無線制御装置（ＲＥＣ）と無線装置（ＲＥ）との間の光インタフェース等に適用することができる。
【背景技術】
【０００２】
３ＧＰＰの無線基地局システムにおける無線制御装置（ＲＥＣ）と無線装置（ＲＥ）との間の光インタフェースは、ＣＰＲＩ（Common Public Radio Interface）として規格化され、公開されている（非特許文献１参照）。図６にＣＰＲＩを適用した無線制御装置（ＲＥＣ）と無線装置（ＲＥ）とを含む無線基地局システムの構成例を示す。
【０００３】
無線制御装置（ＲＥＣ）６−１は、変復調装置（ＭＤＥ）６−１１及び光インタフェースユニット６−１２を備える。無線装置（ＲＥ）６−２は、無線周波数信号を増幅して出力する増幅回路（ＡＭＰ）６−２１及び光インタフェースユニット６−２２を備える。無線制御装置（ＲＥＣ）６−１と無線装置（ＲＥ）６−２は、光インタフェースユニット６−１２，６−２２を介してＣＰＲＩのインタフェースにより接続されている。また、無線制御装置（ＲＥＣ）６−１は、Ｉｕｂインタフェースにより無線基地局制御装置（ＲＮＣ）６−３と接続されている。
【０００４】
ＣＰＲＩのインタフェースは、ユーザプレーン、制御管理（Ｃ＆Ｍ）プレーン及びフレーム同期情報等の転送について、無線制御装置（ＲＥＣ）６−１と無線装置（ＲＥ）６−２との間のレイヤ１及びレイヤ２のプロトコルを規定している。図７にＣＰＲＩインタフェースの概要を示す。図７に示すように、無線制御装置（ＲＥＣ）６−１及び無線装置（ＲＥ）６−２では、それぞれ、上位レイヤの制御管理（Ｃ＆Ｍ）プレーン、ユーザプレーン及びフレーム同期情報等の転送サービス情報を、サービスアクセスポイント（ＳＡＰ）を介してレイヤ２に渡し、またレイヤ２から受け取る。
【０００５】
図８にＣＰＲＩのプロトコルの概要を示す。ＣＰＲＩのプロトコルは、レイヤ１として電気信号伝送（Electrical Transmission）、光信号伝送（Optical Transmission）及び時分割多重（Time Division Multiplexing）について規定している。また、レイヤ２として、ＩＱデータ、ベンダースペシフィック、イーサネット（登録商標）、ＨＤＬＣ、Ｌ１インバンドプロトコルについて規定している。
【０００６】
図９にＣＰＲＩの光インタフェースユニットの機能ブロックの構成例を示す。図９に示すように、無線制御装置（ＲＥＣ）の光インタフェースユニット６−１２及び無線装置（ＲＥ）の光インタフェースユニット６−２２は、共にＣＰＲＩのレイヤ１（物理レイヤ）を提供する光モジュール１１，２１を備える。
【０００７】
光モジュール１１，２１は、電気信号を光信号へ変換して対向装置へ送信するトランスミッタ１１１，２１１と、対向装置からの光信号を受信して電気信号へ変換するレシーバ１１２，２１２を備える。トランスミッタ１１１，２１１には、外部からのイネーブル制御信号により電気／光変換機能を活性化／不活性化し、光信号の出力のオン／オフを切り替える機能を具備する。
【０００８】
また、レシーバ１１２，２１２は、光信号の受光レベルが規定レベルを満たすか否かを検出し、該受光レベルが規定レベル以下のとき警報信号（ＬＯＳ：Loss of signal）を示す２値論理信号を外部に出力する機能を具備する。また、光インタフェースユニット６−１２，６−２２は、ＣＰＲＩのレイヤ２の機能を実現するシリアライザ／デシリアライザ（ＳＥＲＤＥＳ）１２，２２を備える。
【０００９】
光インタフェースユニット６−１２，６−２２のレイヤ３以上の機能は、この構成例では、ＦＰＧＡ（Field Programmable Gate Array）１３，２３、並びにＭＰＵ／ペリフェラル回路機器及びソフトウェア機能部１４，２４により実現している。ＦＰＧＡ１３，２３内では、ＣＰＲＩフレーム終端部１３１，２３１、ユーザプレーン（Ｕ＿Ｐｌａｎｅ）インタフェース部１３２，２３２、制御管理（Ｃ＆Ｍ）プレーンインタフェース部１３３，２３３、メモリ１３４，２３４、制御Ｉ／Ｏ機能部１３５，２３５を具備する。
【００１０】
メモリ１３４，２３４は、制御管理（Ｃ＆Ｍ）プレーン上のレイヤ３メッセージを記憶し、ＭＰＵ／ペリフェラル回路機器とバスを介して遣り取りするのに使用される。制御Ｉ／Ｏ機能部１３５，２３５は、ＭＰＵとバスを介して制御情報を遣り取りし、ＦＰＧＡ１３，２３内の各機能部を制御する。
【００１１】
また、制御Ｉ／Ｏ機能部１３５，２３５は、トランスミッタ１１１，２１１にイネーブル制御信号を送出し、トランスミッタ１１１，２１１の電気／光変換機能を活性化／不活性化し、光信号の出力のオン／オフを制御する。また、制御Ｉ／Ｏ機能部１３５，２３５は、レシーバ１１２，２１２から、光信号の受光レベルが規定レベル以下か否か（ＬＯＳ警報信号か否か）を示す２値論理信号を受信する。
【００１２】
また、無線制御装置（ＲＥＣ）の光インタフェースユニット６−１２と無線装置（ＲＥ）の光インタフェースユニット６−２２との間では、制御管理（Ｃ＆Ｍ）プレーンを介して保守監視／制御情報の遣り取りが行われる。該保守監視／制御情報の伝送経路は、図９において※印を付して示している。
【００１３】
なお、双方のレイヤ１（物理レイヤ）の通信機能を提供する光モジュール１１，２１において、トランスミッタ１１１，２１１がイネーブル化され、レシーバ１１２，２１２で受信される光信号が正常（Ｎｏｍａｌ）であることが、レイヤ２以上の各レイヤの通信機能が正常に維持されるための条件である。
【００１４】
光インタフェースで接続された装置間の監視制御方法として、例えば、光インタフェースで接続された親局と複数の子局とから成るシステムにおいて、親局側に、各子局から送られてくる光信号の断を検出する上りバースト信号検出部とループバック光の断を検出する断検出部を設け、監視制御装置がこれらによる主信号及び各子局対応のループバック光の断の組合せから障害箇所の切り分けを行う手法等が知られている（特許文献１参照）。
【先行技術文献】
【特許文献】
【００１５】
【特許文献１】特開平１０−２８５１２７号公報
【非特許文献】
【００１６】
【非特許文献１】ＣＰＲＩ（Common Public Radio Interface）、［online］、［平成 21年 3月 27日検索］、インターネット〈 URL：http://www.cpri.info/spec.html
【発明の概要】
【発明が解決しようとする課題】
【００１７】
光インタフェースを適用し、ユーザプレーン（ＩＱデータ）や制御管理（Ｃ＆Ｍ）プレーン等の情報転送をレイヤ構成のプロトコルにより提供維持する装置システムにおいて、光インタフェース上の各レイヤのリンク機能を提供するハードウェアの固定的又は間欠的な故障や、ハードウェア又はソフトウェアの設計上の不具合に起因して、光インタフェース上のリンク機能が切断状態に陥ることがある。
【００１８】
光インタフェース上のリンク機能が切断状態となる主要な障害要因を分別し、障害要因毎に影響する光インタフェース機能及び発生頻度を表１に示す。
【表１】
2010273072.tif 000003
【００１９】
表１に示す障害要因によるリンク機能の切断が発生すると、光インタフェース上の制御管理（Ｃ＆Ｍ）プレーンを介した対向装置に対するアクセス手段が絶たれてしまうため、制御操作や監視情報の収集等を実施することができず、リンク機能の切断状態に陥った要因やその他の保守制御のための詳細情報を確認することができなくなる。
【００２０】
サービス運用中のシステムにおいて、このような障害を発生させない対策が重要であるが、リンク断障害が発生した場合でも、障害発生状況の詳細な情報を遠隔操作により収集し、障害復旧のための各種の保守制御の遠隔操作を可能にする手段を講じることも重要である。そこで、表１に示すような障害要因の中で、発生頻度が比較的高い３項〜７項の障害要因等によって発生するレイヤ２以上のリンク切断に対して、保守監視／制御等に係る情報を装置間で送受可能にすることを目的とする。
【課題を解決するための手段】
【００２１】
上記課題を解決する一形態としての光インタフェース装置は、レイヤ構成のプロトコルにより情報を送受する光インタフェース装置において、電気信号を光信号に変換して対向装置へ送信するトランスミッタ、及び該対向装置からの光信号の受光レベルが規定レベル以上か否かを示す２値論理信号を出力するレシーバを有する光モジュールと、前記トランスミッタの光信号の出力のオン／オフを制御し、該光信号の出力のオン／オフによる２値論理信号を対向装置にシリアルに送信し、かつ、前記レシーバで受光される光信号の前記２値論理信号を受信するシリアル通信機能部と、を備えたものである。
【００２２】
また、上記課題を解決する一形態としての監視制御情報伝送方法は、レイヤ構成のプロトコルにより情報を送受し、光インタフェースにより接続された装置間の監視制御情報伝送方法において、レイヤ２以上のプロトコルによるリンクが切断したときに、電気信号を光信号に変換して対向装置へ送信するトランスミッタの光信号の出力のオン／オフを制御し、該光信号の出力のオン／オフによる２値論理のシリアル信号により、保守監視／制御情報を対向装置に送信するステップと、前記対向装置のレシーバで受光される光信号の受光レベルが規定レベル以上か否かを示す２値論理のシリアル信号により前記保守監視／制御情報を受信するステップと、を含むものである。
【発明の効果】
【００２３】
レイヤ２以上のリンクの切断に対して、光モジュールを用いたシリアル通信による代替通信手段を介して、対向装置との間で保守監視／制御情報を送受することができ、遠隔操作による故障モードの確認や、故障部位の特定等の保守作業を容易に、迅速かつ効率よく実施することが可能となる。
【図面の簡単な説明】
【００２４】
【図１】光インタフェース装置の構成例を示す図である。
【図２】光信号出力のオン／オフによるシリアル通信手段を適用した光インタフェースシステムの実施例を示す図である。
【図３】シリアライザ／デシリアライザの固定障害発生時のシリアル通信路確立フローを示す図である。
【図４】ＦＰＧＡの固定障害発生時のシリアル通信路確立フローを示す図である。
【図５】ソフトウェア異常発生時のシリアル通信路確立フローを示す図である。
【図６】ＣＰＲＩを適用した無線制御装置と無線装置とを含む無線基地局システムの構成例を示す図である。
【図７】ＣＰＲＩインタフェースの概要を示す図である。
【図８】ＣＰＲＩのプロトコルの概要を示す図である。
【図９】ＣＰＲＩの光インタフェースユニットの機能ブロックの構成例を示す図である。
【発明を実施するための形態】
【００２５】
図１に光インタフェース装置の構成例を示す。図１の構成例では、光インタフェースユニットＡと光インタフェースユニットＢとの間でレイヤ構成のプロトコルにより情報を送受する。光インタフェースユニットＡ及び光インタフェースユニットＢは、それぞれ、光モジュールＡ１，Ｂ１、シリアライザ／デシリアライザ（ＳＥＲＤＥＳ）Ａ２，Ｂ２、レイヤ２以上の各レイヤ機能終端部Ａ３，Ｂ３、シリアル通信機能部Ａ４，Ｂ４、監視制御機能部Ａ５，Ｂ５を備える。
【００２６】
光モジュールＡ１，Ｂ１は、電気信号を光信号へ変換して対向装置へ送信するトランスミッタを備え、また、対向装置からの光信号を電気信号へ変換し、該光信号の受光レベルが規定レベルベル以下か否かを示す２値論理信号を外部に出力するレシーバを具備する。
【００２７】
上記トランスミッタの電気／光変換機能を活性化／不活性化し、光信号の出力のオン／オフを制御する２値論理信号を、シリアル通信機能部Ａ４，Ｂ４からの送信（ＴＸ）信号として入力する。逆に上記レシーバの光信号の受光状態を示す２値論理信号を、シリアル通信機能部Ａ４，Ｂ４に受信（ＲＸ）信号として入力する。
【００２８】
上記の機能を具備する光モジュールＡ１，Ｂ１を用いて、光インタフェースユニットＡと光インタフェースユニットＢとの間を光インタフェースにより接続した場合、レイヤ１（物理レイヤ）が正常であれば、一方の光モジュールでトランスミッタの光信号の出力をオン状態に制御すると、対向側の光モジュールのレシーバでは、光信号の受光レベルが正常（Ｎｏｍａｌ）であることを外部に出力する。
【００２９】
逆に、一方の光モジュールでトランスミッタの光信号の出力をオフ状態に制御すると、対向側の光モジュールのレシーバでは、光信号が検出されないために受光レベルが規定値以下であることを示す警報信号（ＬＯＳ）を外部に出力する。光モジュールのトランスミッタの光信号の出力のオン／オフ制御と、対向側光モジュールのレシーバの光信号の受光状態の関係は、表２に示すとおり双方向で２値の論理関係が成り立つ。
【表２】
2010273072.tif 000004
【００３０】
光モジュールのトランスミッタの光信号の出力のオン／オフ状態と、対向側光モジュールのレシーバの光信号の受光状態による双方向の２値の論理関係を用いて、簡単なシリアル通信の機能を構成することができ、このシリアル通信機能部Ａ４，Ｂ４を、レイヤ２以上のリンク切断障害時の代替通信手段として用いることにより、保守監視／制御等の情報を転送することが可能となる。
【００３１】
即ち、光インタフェースユニットＡから光インタフェースユニットＢへのシリアル通信信号の伝達を例に説明すると、光インタフェースユニットＡのシリアル通信機能部Ａ４の送信（ＴＸ）信号論理が、光モジュールＡ１のトランスミッタの光信号出力のオン／オフを制御すると、それに合わせて、対向側光インタフェースユニットＢの光モジュールＢ１のレシーバで受光状態が変化し、その論理変化を光インタフェースユニットＢのシリアル通信機能部Ｂ４から受信（ＲＸ）信号として取り出すことができる。
【００３２】
前述の光モジュールＡ１，Ｂ１のトランスミッタの光信号出力のオン／オフ制御と、レシーバにおける光信号の受光レベル状態の出力とによる双方向の２値の論理関係は、光インタフェース上で構築されるレイヤ２以上のプロトコル機能（リンク状態）に関係なく、レイヤ１（物理レイヤ）の機能が正常であれば機能する。
【００３３】
従って、双方の光インタフェースユニットＡ，Ｂにおいて、シリアル通信機能部Ａ４，Ｂ４を介して保守監視／制御情報の遣り取りを行う監視制御機能部Ａ５，Ｂ５を備えることにより、光インタフェース上のレイヤ２以上のリンクが切断した場合に、制御管理（Ｃ＆Ｍ）プレーン等を介して転送される情報の代替通信手段として機能させることが可能となる。
【実施例】
【００３４】
図２に上述の光信号出力のオン／オフによるシリアル通信手段を適用した光インタフェースシステムの実施例を示す。この実施例は、ＣＰＲＩのインタフェースを実現する光インタフェースユニットの例である。無線制御装置（ＲＥＣ）及び無線装置（ＲＥ）の光インタフェースユニット６−１２，６−２２は、共にレイヤ１（物理レイヤ）を提供する光モジュール１１，２１と、ＣＰＲＩのインタフェースのレイヤ２機能を実現するシリアライザ／デシリアライザ（ＳＥＲＤＥＳ）１２，２２と、レイヤ３以上の機能を実現するＦＰＧＡ１３，２３並びにＭＰＵ／ペリフェラル回路機器及びソフトウェア機能部１４，２４を備える。
【００３５】
ＦＰＧＡ１３，２３内のＣＰＲＩフレーム終端部１３１，２３１、ユーザプレーン（Ｕ＿Ｐｌａｎｅ）インタフェース部１３２，２３２、制御管理（Ｃ＆Ｍ）プレーンインタフェース部１３３，２３３、メモリ１３４，２３４は、図９におけるものと同様であるので重複した説明は省略する。
【００３６】
光モジュール１１，２１のトランミッタ１１１，２１１の光信号の出力のオン／オフ制御機能と受光検出機能とによるシリアル通信を実現するシリアル通信機能部１５，２５を新たに備える。また、シリアル通信機能部１５，２５を介して監視制御情報の転送処理を行う監視制御機能部１６，２６を備える。
【００３７】
更に、光モジュール１１，２１のトランスミッタ１１１，２１１の光信号の出力のオン／オフ制御線及びレシーバ１１２，２１２の受光検出通知線と、シリアル通信機能部１５，２５の送信（ＴＸ）信号線及び受信（ＲＸ）信号線とを選択的に接続するセレクタ１７，２７を備える。
【００３８】
光モジュール１１，２１の光信号の出力のオン／オフ制御線と受光検出通知線は、物理レイヤを監視するために、制御Ｉ／Ｏ機能部１３５，２３５に接続される。そこで、レイヤ２以上のリンクが切断状態となった場合に、シリアル通信機能部１５，２５による代替通信手段を確保するため、光モジュール１１，２１の光信号の出力のオン／オフ制御線と受光検出通知線を、セレクタ１７，２７により、制御Ｉ／Ｏ機能部１３５，２３５とシリアル通信機能部１５，２５とで切り替えて接続することができる。
【００３９】
セレクタ１７，２７の切り替え制御は、ＦＰＧＡ１３，２３内の制御Ｉ／Ｏ機能部１３５，２３５又はシリアル通信を制御する監視制御部１６，２６から制御可能とすることにより、任意の操作による切り替え及びレイヤ２以上のリンク障害時に自動的にシリアル通信経路側に切り替える構成とすることができる。
【００４０】
また、監視制御機能部１６，２６に、ＭＰＵ／ペリフェラル回路機器及びソフトウェア機能部１４，２４並びに制御Ｉ／Ｏ機能部１３５，２３５とのインタフェース機能を持たせることにより、光インタフェースユニット６−１２，６−２２内の各機能部への制御や各機能部のステータスの確認を、監視制御機能部１６，２６で行うことが可能となる。
【００４１】
例えば、無線制御装置（ＲＥＣ）側の光インタフェースユニット６−１２の監視制御部１６から、シリアル通信経路を介して、無線装置（ＲＥ）光インタフェースユニット６−２２の監視制御部２６へ制御メッセージ信号を送信し、無線装置（ＲＥ）側光インタフェースユニット６−２２内の監視制御部２６に、該ユニット内の各機能部のステータスを応答させたり、各種制御を実施させたりする構成とすることにより、遠隔保守操作機能を提供することができる。
【００４２】
図３にシリアライザ／デシリアライザの固定障害発生時のシリアル通信路確立フローを示す。無線装置（ＲＥ）のシリアライザ／デシリアライザに固定障害が発生し（３−１）、ＣＰＲＩのインタフェースのレイヤ２，３が切断状態となる（３−２）。すると、無線制御装置（ＲＥＣ）及び無線装置（ＲＥ）のＦＰＧＡのＣＰＲＩ終端部は、レイヤ２のリンク切断を検出する（３−３，３−４）。
【００４３】
無線制御装置（ＲＥＣ）及び無線装置（ＲＥ）では、レイヤ２のリンク切断検出により、ＦＰＧＡ（ハードウェア）主動によるシリアル通信経路へのセレクタの切り替え制御を実行する（３−５．３−６）。シリアル通信経路へのセレクタの切り替えにより、無線制御装置（ＲＥＣ）と無線装置（ＲＥ）との間に、シリアル通信路が確立する（３−７）。該シリアル通信路の確立により、無線制御装置（ＲＥＣ）と無線装置（ＲＥ）との間で、各種監視制御が実行可能となる（３−８）。
【００４４】
図４にＦＰＧＡの固定障害発生時のシリアル通信路確立フローを示す。無線装置（ＲＥ）のＦＰＧＡに固定障害が発生し（４−１）、ＣＰＲＩのインタフェースのレイヤ２，３が切断状態となる（４−２）。すると、無線制御装置（ＲＥＣ）のＦＰＧＡのＣＰＲＩ終端部は、レイヤ２のリンク切断を検出する（４−３）。一方、無線装置（ＲＥ）ではソフトウェア機能部でレイヤ２，３のリンク切断を検出する（４−４）。
【００４５】
無線制御装置（ＲＥＣ）では、レイヤ２のリンク切断検出により、ＦＰＧＡ（ハードウェア）主動によるシリアル通信経路へのセレクタの切り替え制御を実行する（４−５）。一方、無線装置（ＲＥ）ではソフトウェア機能部主動によるシリアル通信経路へのセレクタの切り替え制御を実行する（４−６）。
【００４６】
シリアル通信経路へのセレクタの切り替えにより、無線制御装置（ＲＥＣ）と無線装置（ＲＥ）との間に、シリアル通信路が確立する（４−７）。該シリアル通信路の確立により、無線制御装置（ＲＥＣ）と無線装置（ＲＥ）との間で、各種監視制御が実行可能となる（４−８）。
【００４７】
図５にソフトウェア異常発生時のシリアル通信路確立フローを示す。無線装置（ＲＥ）のＭＰＵ／ペリフェラル回路のハードウェア間欠的故障によるソフトウェア以上が発生し（５−１）、ＣＰＲＩのインタフェースのレイヤ３が切断状態となる（５−２）。すると、無線制御装置（ＲＥＣ）では、ソフトウェア機能部によりレイヤ３のリンク切断を検出する（５−３）。一方、無線装置（ＲＥ）では、ＦＰＧＡの制御Ｉ／Ｏ機能部によりソフトウェア異常を、例えばウォッチドッグタイマのタイムアウト等により検出する（５−４）。
【００４８】
無線制御装置（ＲＥＣ）では、レイヤ３のリンク切断検出により、ソフトウェア機能部主動によるシリアル通信経路へのセレクタの切り替え制御を実行する（５−５）。一方、無線装置（ＲＥ）ではＦＰＧＡ（ハードウェア）主動によるシリアル通信経路へのセレクタの切り替え制御を実行する（５−６）。
【００４９】
シリアル通信経路へのセレクタの切り替えにより、無線制御装置（ＲＥＣ）と無線装置（ＲＥ）との間に、シリアル通信路が確立する（５−７）。該シリアル通信路の確立により、無線制御装置（ＲＥＣ）と無線装置（ＲＥ）との間で、各種監視制御が実行可能となる（５−８）。
【符号の説明】
【００５０】
Ａ１，Ｂ１  光モジュール
Ａ２，Ｂ２  シリアライザ／デシリアライザ
Ａ３，Ｂ３  各レイヤ機能終端部
Ａ４，Ｂ４  シリアル通信機能部
Ａ５，Ｂ５  監視制御機能部
【図１】
2010273072.tif 000005
【図２】
2010273072.tif 000006
【図３】
2010273072.tif 000007
【図４】
2010273072.tif 000008
【図５】
2010273072.tif 000009
【図６】
2010273072.tif 000010
【図７】
2010273072.tif 000011
【図８】
2010273072.tif 000012
【図９】
2010273072.tif 000013